(57)【要約】      （修正有）【課題】近年の環境保護の観点である循環型社会の形成に向け、廃棄物の抑制や限りある資源の有効利用の諸施策として、二つ以上の部品が簡単に組立て可能でありながら、解体作業も容易に行える固定機構を提供する。【解決手段】２つ以上の部品を組み合わせて使用する際に、一方の部品には凸形状の円柱形状である支柱３が形成されており、円形状の中心から外側に偏芯した位置にネジ孔６を有している。他方の部品には凹形状として穴４が貫通しており、貫通面における円柱の面積は、穴４の面積より僅かに小さく設定し、支柱３とのガタつきがなく嵌合できる構造となっている。尚、偏芯寸法と支柱３の外径寸法の半径寸法の和は、穴４の内径寸法より、大きくする事により所定の位置に組み込んだ部品同士を固定できる寸法関係の固定機構を形成する。【選択図】図１
0003172579.tif 000002
【実用新案登録請求の範囲】
【請求項１】
二つ以上の部品を組み合わせて固定する方法において、一方の部品は凸形状の支柱３があり、他方の部品には凹形状の穴４が設けられている。支柱３の底面は円形あるいは多角形の形状となっており、ネジ孔６が底面の中心点から偏芯した位置に配置されている。支柱３は穴４に嵌められた後、ネジ孔６に離脱自在に固定する固定ネジ５を組付け、固定ネジ５にあるネジ頭部底５ｃが穴４の隣接した外周にある穴端部４ａと当接し、部品間を固定する固定機構。
【請求項２】
固定ネジ５のネジ頭部５ａの外径もしくは底面面積は、穴４の外径もしくは底面面積よりも小さい寸法関係としたことを特徴とする請求項１記載の固定機構。
【請求項３】
固定ネジ５のネジ頭部５ａに鍵穴１４を設け、鍵を施錠した場合には固定ネジ５が回動できない状況としたことを特徴とする請求項１記載の固定機構。
【請求項４】
ネジ頭部底５ｃ及び穴４の周辺にＣ面あるいはＲ面を設けた事を特徴とする請求項１記載の固定機構。
【考案の詳細な説明】
【技術分野】
【０００１】  本考案は、屋内及び屋外で使用される組立及び解体が可能な箱体や掲示品の固定や交換を短時間で簡単に実施可能とする部品間の固定機構に関する。
【背景技術】
【０００２】  組立式箱体は、例えば家具に活用されている場合は、購入後に自分自身で組立てを行うので、組立に関わる人件費が含まれない為、低価格で購入者に提供できるものである。更に、部品を追加で購入すれば、収納数や収納面積を拡張する等、家具の寸法、形状などを生活空間に応じて変更することができる場合もある等、便利な点も含めて広く活用されている。また、掲示品は広告を中心として多用され、短期間の中で頻繁に交換される場合が多く、掲示品の交換作業における時間短縮は、実質的に掲示時間が長くできるという点で大きな効果が得られる。【０００３】  更に、近年は循環型社会の形成を目指し、廃棄物の抑制や再利用の諸施策が進められており、組立の容易さだけでなく、解体が容易である事が大変に重要な技術要素となっている。組立家具や組立式箱体に関する公知の技術の一例として、例えば下記特許文献に、複数のパネルをネジ等の部品を用いて組み合わせる組立構造が開示されている。【０００４】
【特許文献１】特開平７−２０８４１９号公報
【特許文献２】特開平９−１６９３３０号公報
【考案の概要】
【考案が解決しようとする課題】
【０００５】  しかしながら、上記に示される技術は、複数の部品を組立てる作業の際に、部品点数や種類が多くなってしまい、複雑な構造から組立作業時間が長くなってしまうという課題を有していた。更に、部品点数や種類が多い事は、部品紛失の確率が高くなってしまうという課題をも同時に内在していた。例えば、部品が不足しているにも関わらず購入者自身は完成状態と判断し、強度不足により危険な状態となる事も想定される。【０００６】  また、近年、環境保護の観点から循環型社会の形成を目指す施策の１つが３Ｒ推進運動であり、再資源化の施策として、サーマルリサイクルが進められている。しかしながら、サーマルリサイクルは廃棄物を燃焼させ、熱エネルギーに変換して再利用する手段となるので、同時に二酸化炭素を排出してしまうという課題を内在している。もし、人類が現状のままの活動を継続した場合、１００年後には二酸化炭素の濃度が二倍になり、気温が平均１．５〜２℃上昇し、海面の水位が４０〜５０ｃｍ上昇するとの予測もあり、その観点からも廃棄物の発生抑制や再利用の諸施策を進めるべく、生活スタイルや空間の変化に追従しながら、廃棄量の低減を目指し、部品交換及び追加や削減を簡単に行える構造技術が望まれている。
【課題を解決するための手段】
【０００７】  本願の考案は、このような課題を解決する為になされ、その具体的解決手段として、従来の組立式よりも更に部品構成を単純化させ、二つの部品以上を組合せて使用する固定機構として、一方の部品には凸形状の支柱３にネジ孔６を組込み、ネジ孔６の位置を支柱３の底面の中心位置から外側に配置した。他方の部品には凹形状の穴４が設けられている。その結果、従来構造と比較して、更に単純な構造となっており、組立家具等の組立や解体が簡単にでき、且つ、強度や形状をも安定し、構成部品の点数も著しく低減できる事から、部品の組立性及び解体性の両面を共に向上させる固定機構を提供するものである。
【考案の効果】
【０００８】  例えば、組立式箱体の代表的な家具製品に、カラーボックスがあるが、組立手順書を確認しながらドライバー等の工具を使用し、組立てるので、一定の組立範囲毎に仮組立を行いネジで固定する。尚、この作業は、数回に分けられて、作業時間の他に工具等の準備時間を含めると、約３０分程度の時間を要しているのが一般的である。本考案では、穴４に支柱３を貫通させる事で仮組立て全てを同時工程で実施してしまうので、次の工程ではネジを締めるだけの簡単な作業とできる他、工具を使用しない作業とする事にも対応可能であり、数分間で組立てを完成させる事が可能となった。【０００９】  更に、ネジを完全に取除かなくても、取外したい部品の板厚以上の空間がネジ頭部底５ｃと穴端部４ａ間にあれば、干渉している方向に移動させて、干渉寸法を取除く事で取外しが簡単にできる。この様な機能により、取換え作業時間の短縮だけでなく、構成部品の組込み忘れを防止できる効果が得られるので、掲示品の交換作業時では作業の効率が向上し、掲示品の掲示時間を実質的に長くできる他、ネジを取除く事なく作業が可能なので、部品の欠落も防止できる安全な構造となっている。
【図面の簡単な説明】
【００１０】
【図１】本考案の実施形態１における部品構成の斜視図
【図２】本考案の実施形態１における組立手順の斜視図
【図３】本考案の実施形態１における固定機構の斜視図及び平面図
【図４】本考案の実施形態２における部品構成の斜視図
【図５】本考案の実施形態３における部品構成１の斜視図
【図６】本考案の実施形態３における部品構成２の斜視図
【図７】本考案の実施形態３における部品構成３の斜視図
【図８】本考案の実施形態４における組立手順の斜視図
【図９】本考案の実施形態４における断面図
【図１０】本考案の実施形態５における部品構成の斜視図
【考案を実施するための形態】
【００１１】  以下、本考案の固定機構の詳しい技術構成を実施例に則して、かつ、図面を参照して具体的に説明する。
（実施形態１）
【００１２】  図面により、本考案を説明する。図１〜図３は、本考案の実施形態１の固定機構を説明する図である。図１は本考案の実施形態１における部品構成の斜視図、図２は本考案の実施形態１における組立手順の斜視図、図３は本考案の実施形態１における固定機構の斜視図及び平面図である。
【００１３】  図１において、側面板１の両端にある四箇所の支柱３が平面板２にある四箇所の穴４を貫通し、側面板１及び平面板２の各二枚が組み合わされる事により、略四角形の枠の仮固定が完成し、図２の（ａ）の状態となる。その後、固定ネジ５が支柱３にあるネジ孔６に装着され、略四角形の枠が完成した図２の（ｂ）の状態となる。
【００１４】  図３にて、固定機構の構造及び寸法関係を説明する。支柱３の底面において中心点からＡ寸法離れた外側にネジ孔６の中心があり、穴４を貫通した後、固定ネジ５をネジ孔６に差込んだ後、ネジ頭部５ａを回転させてネジ頭部底５ｃと穴端部４ａ間の空間がなくなるまで締める。
【００１５】  尚、支柱３の外径をＣとし、固定ネジ５の外径をＢとした。また、穴４の内径をＤとした。側面板１及び平面板２を固定する為の各寸法間の関係は、Ｄ＜Ａ＋Ｂ／２となっている。更に、支柱３が穴４を貫通する必要がある事から、仮固定での条件としてはＣ≦Ｄとなっている。尚、穴４の内径Ｄが支柱３の外径Ｃに対して著しく大きい場合は、仮固定状態において歪み等により安定しないので、寸法差を最小限にしておく必要がある。
【００１６】（実施形態２）
本考案の第２実施形態について図４及び図５を用いて説明する。尚、本考案の実施形態１と実施形態２の主な相違点は、支柱３と穴４が其々円柱形状であったのに対して、四角柱を用いている点である。
【００１７】  図４及び図５は、本考案の実施形態２の固定機構を説明する図である。図４は本考案の実施形態２における部品構成の斜視図である。本考案の第２実施形態において、前記支柱３及び穴４の形状は、底面が円形のものに限定されず、例えば、三角形、四角形、五角形等の多角形状のものであってもよい。
【００１８】（実施形態３）
本考案の第３実施形態について図５〜図７を用いて説明する。尚、本考案の実施形態３は、部品を追加する事で収能空間の拡大や使用用途の変更等を可能とする技術的手段や同じ部品を複数個使用し拡張する技術手段である。
【００１９】  図５は、本考案の実施形態３における部品構成の斜視図であり、図５の（ａ）に第１実施形態を、図５の（ｂ）には第１実施形態から側面板１の二枚を取除き、第１の連結板１ａを四枚及び平面板２を二枚追加し、容積を三倍としたものである。また、図６は、本考案の実施形態３における部品構成２の斜視図、図６の（ａ）に図示するＬ字板１１を六枚使用し、図６の（ｂ）の六角形の枠へと拡張する事ができる技術的手段である。
【００２０】  更に、図７は本考案の実施形態３における部品構成３の斜視図、上下板１２を上板として一枚追加する事で、枠から椅子の機能へと変更を可能とする技術的手段である。更に、下側を追加すれば、収納箱として使用できる等、簡単に用途を変更する事が可能となる。
【００２１】（実施形態４）
本考案の第４実施形態について図８及び図９を用いて説明する。尚、本考案の実施形態４は、掲示品１３に関わる技術的手段である。
【００２２】  掲示品１３は、多くの人々が訪れる場所に掲示されている。例えば、デパートや駅及び空港の等に掲示され、人々の目に触れ易いという優位性により、広く活用されている。しかしながら、一方では利便性の高い場所である為、人々の往来が激しく、掲示品１３の交換時には部品の落下等に注意しながら短時間で、次の掲示品へと交換する必要がある。
【００２３】  本考案は、掲示品１３を短時間で簡単に交換できる技術的手段であり、固定ネジ５を外さなくても対象の掲示品１３だけを取外す事が可能である。従って、固定ネジ５等が落下する事による危険を回避できる。
【００２４】  図８は本考案の実施形態４における組立手順の斜視図、図９は本考案の実施形態４における断面図である。図８の（ａ）は、壁７に支柱３を取付けた状態であり、図８の（ｂ）は、穴４のある平面プレート８及び立体プレート９が準備され、掲示品１３を挟み込んでいる。図８の（ｃ）は、平面プレート８及び立体プレート９に挟まれた掲示品１３を壁７に四箇所ある支柱３が穴４に貫通された状態である。図８の（ｄ）は、固定ネジ５がネジ孔６に差込まれ、ネジ頭部５ａを回転させて固定ネジ５が締められ、組立が完了した状態である。
【００２５】  図９の（ａ）は、図８の（ｄ）の状態での断面図であり、図９の（ｂ）は、固定ネジ５が緩められＥ寸法からＦ寸法に隙間が拡大され、立体プレート９の厚みＨ１寸法以上となっている。その後、立体プレート９を、壁７から引離す方向に移動し、穴４を支柱３から引離す位置まで移動する。この状態で立体プレート９は、穴４の内径寸法程度の一定距離を上下左右に動ける様になり、穴４の軸芯位置をＡ寸法だけ下側に移動する事で、固定ネジ５の軸芯位置と同位置となり、ネジ頭部５ａが穴４を通過し、立体プレート９を取外す事ができる。
【００２６】  掲示品１３が立体プレート９に取付けられている状態であれば、そのまま交換作業へと移行できる。尚、寸法関係はＤ１＜Ａ＋Ｂ／２及びＣ≦Ｄ１となっている。平面プレート８と立体プレート９は、形状は異なるものの、厚みや穴の内径は全て同寸法となっている。掲示品１３が平面上の物であれば、平面プレート８の上に直接張付ける、あるいは、平面プレート８を二枚使用して挟み込んでも良い。また、立体的な掲示品１３であれば平面プレート８及び立体プレート９で挟み込んで掲示すれば良い。
（実施形態５）
【００２７】  本考案の第５実施形態について図１０を用いて説明する。尚、本考案の実施形態５は、掲示品１３に関わる応用技術である。
【００２８】  図１０は本考案の実施形態５における部品構成の斜視図である。実施形態４において、穴４の軸芯位置をＡ寸法だけ下側に移動する事で、固定ネジ５の軸芯位置と同位置となり、ネジ頭部５ａが穴４を通過し、立体プレート９を取外す事ができる。更に、ネジ頭部底５ｃにネジ頭部Ｃ面５ｄの様な形状のＣ面を設けると共に、穴４にある穴端部Ｃ面４ｂにもＣ面を設けると、立体プレート９がネジ頭部Ｃ面５ｄのＣ面の傾斜によりスムーズに取外せる様になる。尚、Ｃ面に限らずＲ面を設けても同様の効果が得られる。
【００２９】  更に、図１０ではネジ頭部５ａに鍵穴１４を設け、鍵機構により固定ネジ５を回転できる時と回転できない時の二通りを設定できる様にする。掲示品１３は、盗難されてしまう場合もあるので、鍵機構を設け、対策とする事が可能となる。尚、鍵機構は、四箇所あるネジ頭部５ａの中で少なくとも、一箇所以上設定されていれば、取外す事が出来なくなり、盗難防止策として有効となる。
【産業上の利用可能性】
【００３０】  本考案は、屋内及び屋外で使用される二部品以上の組立及び解体が可能な固定機構として使用可能であり、例えば組立式家具に利用され、廃棄物の発生抑制や再利用の諸施策として、生活スタイルの変化に追従して、部品交換を含めた追加や削減を簡単に行える製品に活用できる技術である。更に、組立てや交換が安全で簡単にできる事から、頻繁に交換される掲示品１３にも効果的に活用できる技術である。
【符号の説明】
【００３１】１          ・・・・側面板
２          ・・・・平面板
３          ・・・・支柱
４          ・・・・穴
５          ・・・・固定ネジ
５ａ        ・・・・ネジ頭部
６          ・・・・ネジ孔
１３        ・・・・掲示品
１４        ・・・・鍵穴
【図１】
0003172579.tif 000003
【図２】
0003172579.tif 000004
【図３】
0003172579.tif 000005
【図４】
0003172579.tif 000006
【図５】
0003172579.tif 000007
【図６】
0003172579.tif 000008
【図７】
0003172579.tif 000009
【図８】
0003172579.tif 000010
【図９】
0003172579.tif 000011
【図１０】
0003172579.tif 000012
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
二つ以上の部品を組み合わせて固定する固定機構であって、底面は円形あるいは多角形の形状となる凸形状の支柱３を有する側面板１と、凹形状の穴４を有する平面板２の部品から成り、前記支柱３が前記穴４を挿通する事によって、側面板１と平面板２が組立てられる構造であって、ネジ孔６は支柱３の底面の中心点から偏芯した位置に配置され、ネジ孔６に離脱自在に固定する固定ネジ５を組付け、固定ネジ５にあるネジ頭部底５ｃが穴４の隣接した外周にある穴端部４ａと当接し、部品間を固定する固定機構。
【請求項２】
固定ネジ５のネジ頭部５ａの外径もしくは底面面積は、穴４の外径もしくは底面面積よりも小さい寸法関係としたことを特徴とする請求項１記載の固定機構。
【請求項３】
ネジ頭部底５ｃ及び穴４の周辺にＣ面あるいはＲ面を設けた事を特徴とする請求項１記載の固定機構。